(57)【特許請求の範囲】
【請求項１】
燃料タンクに連通する連通部と、円板状の板にスクリーン状に溝を形成し、かつこの溝を形成する肉部が断面視三角形であり、この板を複数枚積層してなるとともに、気化燃料が三角形の頂点側から導入される金属製のトライアングルフィルタと、このトライアングルフィルタを収納するフィルタ収納部と、前記トライアングルフィルタを冷却する冷却手段とからなる気化燃料液化装置。
【請求項２】
燃料タンクに連通する連通部と、円板状の板にスクリーン状に溝を形成し、かつこの溝を形成する肉部が断面視三角形であり、この板を角度をずらして複数枚積層してなるとともに、気化燃料が三角形の頂点側から導入される金属製のトライアングルフィルタと、このトライアングルフィルタを収納するフィルタ収納部と、前記トライアングルフィルタを冷却する冷却手段とからなる気化燃料液化装置。
【請求項３】
燃料タンクに連通する連通部と、円板状の板にスクリーン状に溝を形成し、かつこの溝を形成する肉部が断面視三角形であり、この板を角度をずらして複数枚積層してなるとともに、気化燃料が三角形の頂点側から導入される金属製のトライアングルフィルタと、このトライアングルフィルタの三角形の頂点が下方となるように収納し、かつ上部が密閉で、下部が連通部に連通するフィルタ収納部と、このフィルタ収納部の上方に設けられ、前記トライアングルフィルタを冷却する冷却手段とからなる気化燃料液化装置。
【請求項４】
燃料タンクに連通する第１の連通部と、円板状の板にスクリーン状に溝を形成し、かつこの溝を形成する肉部が断面視三角形であり、この板を角度をずらして複数枚積層してなるとともに、気化燃料が三角形の頂点側から導入される金属製のトライアングルフィルタと、このトライアングルフィルタを収納するフィルタ収納部と、このフィルタ収納部の側部に設置され、前記トライアングルフィルタを冷却する冷却手段と、フィルタ収納部の上部から燃料タンクの他の場所に連通するための第２の連通部とからなる気化燃料液化装置。
【発明の詳細な説明】
【０００１】
【産業上の利用分野】
この発明は、燃料タンク内の気化ガソリンや軽油を液化する装置に関する。
【０００２】
【従来の技術】
従来の例えば自動車のガソリンタンク内の気化ガソリンは、キャニスターに送られ、ガス状態で活性炭に吸着していた。
【０００３】
【発明が解決しようとする課題】
上記したように従来のガソリンタンクの気化ガソリンはキャニスターで吸着されるが、気化が進行し、キャニスターが飽和すると、キャニスターで吸着しきれずに、走行中はキャブレータまで送られ、キャブレータにガソリンが過剰供給となり、不良燃焼等を起こすという問題があるし、また停車時はキャブレータ付近より飽和した気化ガソリンが大気中に放出されるので有効に利用し得ないという問題があった。
【０００４】
この発明は、上記問題点に着目してなされたものであって、燃料タンク内の気化が進行しても、キャブレータへの過剰供給等の心配がなく、燃料を有効に利用し得る気化燃料液化装置を提供することを目的としている。
【０００５】
【課題を解決するための手段及び作用】
この発明の気化燃料液化装置は、燃料タンクに連通する連通部と、円板状の板にスクリーン状に溝を形成し、かつこの溝を形成する肉部が断面視三角形であり、この板を複数枚積層してなるとともに、気化燃料が三角形の頂点側から導入される金属製のトライアングルフィルタと、このトライアングルフィルタを収納するフィルタ収納部と、前記トライアングルフィルタを冷却する冷却手段とから構成されている。
【０００６】
この気化燃料液化装置では、燃料タンク内の気化燃料が上昇し、連通部を経て、トライアングルフィルタに達すると、気化燃料は溝の前方の部分で、圧縮され、溝通過で膨張する。この間フィルタは冷却手段で冷却されているので、気化燃料はフィルタのスクリーン部分を通過する際に液化され、燃料タンク内に落下し、戻る。
【０００７】
【実施例】
以下、実施例により、この発明をさらに詳細に説明する。
図１は、この発明の一実施例を示す気化ガソリン液化装置の断面図である。この実施例気化ガソリン液化装置１は、ガソリンタンク２の上部に設置されるものである。この装置１は、ガソリンタンク２に連通するための連通管３と、この連通管３の先端部周囲に形成され、装置１をガソリンタンク２に取付けるためのフランジ４と、ＴＤＦ（トライアングルフィルタ）５と、このＴＤＦ５を収納するアルミ製のケース６と、このケース６を囲む樹脂製の断熱ケース７と、ＴＤＦ５の上方、アルミのケース６の上部に設けられるペルチェ素子８と、ヒートシンク９とから構成されている。ガソリンタンク２への取付けは、シール材１０を介して、フランジ４を例えばネジ締めにより行う。なお、１０ａはネジ穴である。
【０００８】
ＴＤＦ５は、円板状の複数枚の板が積層されてなり、図２に示すように、円板５ａ上にスクリーン状に溝１１を設け、この溝１１と溝を形成する肉部１２は、断面図で示すと図３に示す通りであり、肉部１２は、断面視、二等辺三角形となっている。三角形の頂点側から（図３の矢印Ａ）気体を導入することで、圧縮、膨張作用を起こし、気体の通過速度を変化させる。
【０００９】
円板５ａ上には、８個の凸部１３と８個の凹部１４が交互に加工、形成されており、この凸部１３と凹部１４を嵌合することにより、複数枚を積層する。一方に対し、他方を２２．５°ずつ、回転して積層する。ここでは、８個の凸部１３と凹部１４により、角割を行うようにしているが、角割は最低凸部２個、凹部２個、さらに両者を８を越えて設けることも可能である。このような角割、つまりずらして順次、例えば図４のように９枚分をずらして積層すると、平行スクリーンがずれて行き、様々なメッシュが生まれる。様々なメッシュが一連として回転することにより、平行スクリーンより流入した気体は、回転運動をすることになる。
【００１０】
上記２２．５°の角割で考えるなら、一方向一回転は９枚組合わせる事により左、あるいは右回転とすることができる。
さらに９枚後は、任意回転方向を逆にする事ができる。例えば左、右回転で９＋８＝１６枚で二回転正逆回転が生まれる。ｎ回転とすれば、９＋（ｎ−１）×８＝枚数となる。
【００１１】
従来のハニカム形状のフィルタは平行流が基本であるが、ＴＤＦは平行流と乱流が組合わされ、ハニカム構造よりも接触面積、吸着構造（圧縮・膨張さらに衝突）ファンデルワールスの働きにより効果が上がる。
この実施例装置に使用されるＴＤＦは、アルミ製であるが、他にサス、チタン、ステン等、熱変換効率が良くて、化学変化のないものを使用してもよい。
【００１２】
以上のように構成される実施例装置において、ガソリンタンク２内より、気化ガソリンが上昇すると、その気化ガソリンは連通管３を通過して、ＴＤＦ５の表面に達する。そして上述したように、ＴＤＦ５の三角形の頂点部分から気化流が溝１１を通過し、圧縮・膨張を呈しながら、回転溝に応じ、進行してゆく。その過程で、ＴＤＦ５は、ペルチェ素子８によって冷却を受けているので、ＴＤＦ５を通過中の気化ガソリンは液化されて、ガソリンタンク２内に落下する。気化ガソリンが溝を通過する際に、肉部１２は太さが非常に細いので、ペルチェ素子８によって、直ちに冷却されるので液化を短時間でスムーズに進行させることができる。
【００１３】
図５は、この発明の他の実施例を示す気化ガソリン液化装置の断面図である。図１と同一番号は同一のものを示している。この実施例装置が、図１と相違する点は、ペルチェ素子８及びヒートシンク９を、アルミケース体６、及び断熱ケース７の側方に設けるとともに、これらケース体の上方に、配管１５を設けたことである。この配管１５は図示外の連結されるパイプによって、ガソリンタンク２の他の箇所に導かれ、ここから導かれる気化ガソリンも、液化されてガソリンタンク２内に落下する。
【００１４】
なお、上記図１、図５の実施例では、図示していないが、冷却効果を上げるために、ファンを設け、ヒートシンク９に送風すると良い。
また上記実施例において、複数枚の円板５ａの各溝は、角度を少しずつずらしているが、角度をずらせないで単に積層したものであってもよい。
【００１５】
【発明の効果】
この発明によれば、円板状の板にスクリーン状に溝を形成し、かつこの溝を形成する肉部が断面視三角形であり、この板を複数枚積層してなるとともに、気化燃料が三角形の頂点側から導入される金属製のトライアングルフィルタと冷却手段を組合わせているので、特にフィルタが小型、薄型とできるので、全体装置としても小型化でき、それでいて接触面積の大きい熱交換による液化が可能となるという効果がある。
【図面の簡単な説明】
【図１】この発明の一実施例を示す気化ガソリン液化装置の断面図である。
【図２】同実施例装置に使用されるトライアングルフィルタを構成する円板の平面図である。
【図３】同円板の断面図である。
【図４】同実施例装置のトライアングルフィルタの角度割による回転を説明する図である。
【図５】この発明の他の実施例を示す気化ガソリン液化装置の断面図である。
【符号の説明】
２      ガソリンタンク
３      連通管
５      トライアングルフィルタ
６      アルミ製ケース
７      断熱ケース
８      ペルチェ素子
９      ヒートシンク
【図１】
0003621120.tif 000002
【図２】
0003621120.tif 000003
【図３】
0003621120.tif 000004
【図４】
0003621120.tif 000005
【図５】
0003621120.tif 000006